(57)【要約】【課題】実施されたフィルター清掃運転の実施日時をリモートコントローラー又は室内機において記憶し、使用者又はメンテナンス業者等がリモートコントローラーの表示部上で過去の履歴を確認することができる空気調和システムを得る。【解決手段】リモートコントローラー１のＣＰＵ３０は、受信したフィルター清掃履歴データ１５２をフィルター清掃履歴画面１１ｃとして、表示部１０に表示させる。【選択図】図６
2011247451.tif 000002
【特許請求の範囲】
【請求項１】
１台以上の室外機と、
該各室外機に冷媒配管によって接続され、塵埃等を除去するフィルターを備えた室内機と、
該室内機のいずれとも通信可能なリモートコントローラーと、
を備え、
前記室内機が複数である場合、前記各室内機は伝送線によって接続され、
前記リモートコントローラーは、
表示部を有し、
前記室内機において前記フィルターの清掃が実施された場合、その実施内容情報を含むフィルター清掃履歴情報を前記室内機から受信し、
受信した前記フィルター清掃履歴情報を前記表示部に表示させる
ことを特徴とする空気調和システム。
【請求項２】
前記室内機は、
メモリーを有し、
前記フィルターの清掃が実施された場合、その実施内容情報を前記メモリーに前記フィルター清掃履歴情報として記憶させ、
前記リモートコントローラーは、前記室内機から前記フィルター清掃履歴情報を受信し、前記表示部に表示させる
ことを特徴とする請求項１記載の空気調和システム。
【請求項３】
前記リモートコントローラーは、
操作部を有し、
該操作部に対する操作に基づいて、特定の前記室内機から前記フィルター清掃履歴情報を受信し、前記表示部に表示させる
ことを特徴とする請求項２記載の空気調和システム。
【請求項４】
前記室内機は、前記フィルターの清掃が実施された場合、その実施内容情報を含む前記フィルター清掃履歴情報を前記リモートコントローラーに送信し、
前記リモートコントローラーは、
メモリーを有し、
前記室内機から前記フィルター清掃履歴情報を受信して前記メモリーに記憶させ、
前記フィルター清掃履歴情報を前記メモリーから読み出し、前記表示部に表示させる
ことを特徴とする請求項１記載の空気調和システム。
【請求項５】
前記リモートコントローラーは、
操作部を有し、
該操作部に対する操作に基づいて、前記メモリーから特定の前記室内機に対応する前記フィルター清掃履歴情報を読み出し、前記表示部に表示させる
ことを特徴とする請求項４記載の空気調和システム。
【請求項６】
前記室内機は、所定時刻、所定時間毎又は所定の運転積算時間毎に自動で前記フィルターの清掃を実施する自動フィルター清掃手段を有した
ことを特徴とする請求項１〜請求項５のいずれかに記載の空気調和システム。
【請求項７】
前記フィルター清掃履歴情報は、少なくとも、前記室内機において前記フィルターの清掃が実施された日時情報、及び、正常終了、異常終了又は未完了等を示す清掃の実施結果情報を含む
ことを特徴とする請求項１〜請求項６のいずれかに記載の空気調和システム。
【請求項８】
前記リモートコントローラーは、前記フィルター清掃履歴情報が所定の条件を満たす場合、その旨、又は、前記フィルターの清掃に関する対処方法等の情報を前記表示部に表示させる
ことを特徴とする請求項１〜請求項７のいずれかに記載の空気調和システム。
【発明の詳細な説明】
【技術分野】
【０００１】
本発明は、フィルター自動清掃機能を備えた空気調和システムに関し、特に、過去のフィルター清掃履歴を確認する手段に関するものである。
【背景技術】
【０００２】
従来のフィルター自動清掃機能を備えた空気調和機として、前回に実施されたフィルター自動清掃の日時を空調機に記憶し、次回に自動清掃を開始するタイミングの時間補正を実施しているものがある（例えば、特許文献１参照）。
【先行技術文献】
【特許文献】
【０００３】
【特許文献１】特開２００５−１９５２６７号公報（第１―４頁、図１）
【発明の概要】
【発明が解決しようとする課題】
【０００４】
しかしながら、従来のフィルター自動清掃機能を備えた空気調和機は、自動的にフィルター清掃を実施する手段、及び、自動清掃の実施間隔の設定をする手段は備えているが、過去に実施した清掃運転の履歴をリモートコントローラー等の表示器上で確認することはできず、使用者又はメンテナンス業者等は自動清掃設定された空気調和機に対して、実際の実施履歴を確認することができないという問題点があった。
【０００５】
本発明は、上記のような課題を解決するためになされたもので、第１の目的は、実施されたフィルター清掃運転の実施日時をリモートコントローラー又は室内機において記憶し、使用者又はメンテナンス業者等がリモートコントローラーの表示部上で過去の履歴を確認することができる空気調和システムを得ることである。
また、第２の目的は、省エネに対する悪化要因のひとつであるフィルター汚れに対して、自動清掃した履歴を確認できることによって、使用者に対して視覚的に省エネ訴求を図ることができる空気調和システムを得ることである。
【課題を解決するための手段】
【０００６】
本発明に係る空気調和システムは、１台以上の室外機と、該各室外機に冷媒配管によって接続され、塵埃等を除去するフィルターを備えた室内機と、該室内機の少なくともいずれかと通信可能なリモートコントローラーと、を備え、前記室内機が複数である場合、前記各室内機は伝送線によって接続され、前記リモートコントローラーは、表示部を有し、前記室内機において前記フィルターの清掃が実施された場合、その実施内容情報を含むフィルター清掃履歴情報を前記室内機から受信し、受信した前記フィルター清掃履歴情報を前記表示部に表示させることを特徴とするものである。
【発明の効果】
【０００７】
本発明によれば、リモートコントローラー１によって、過去のフィルター清掃履歴を確認することができる。また、このように、過去のフィルター清掃履歴を確認することができることによって、省エネに対する悪化要因のひとつであるフィルター汚れに対して、使用者に対して視覚的に省エネ訴求を図ることができる。
【図面の簡単な説明】
【０００８】
【図１】本発明の実施の形態１に係る空気調和システムの全体構成図である。
【図２】本発明の実施の形態１に係る空気調和システムにおける室内機１００の室内機コントローラー１０１の内部構成図である。
【図３】本発明の実施の形態１に係る空気調和システムのリモートコントローラー１の内部構成図である。
【図４】本発明の実施の形態１に係る空気調和システムのフィルター清掃履歴データ１５２を室内機コントローラー１０１のメモリー１５０に記憶する動作を示すフローチャートである。
【図５】本発明の実施の形態１に係る空気調和システムのリモートコントローラー１の表示部１０にフィルター清掃履歴データ１５２を表示させる動作のフローチャートである。
【図６】本発明の実施の形態１に係る空気調和システムのリモートコントローラー１の表示部１０に表示される画面例である。
【図７】本発明の実施の形態２に係る空気調和システムにおける室内機１００の室内機コントローラー１０１の内部構成図である。
【図８】本発明の実施の形態２に係る空気調和システムのリモートコントローラー１の内部構成図である。
【図９】本発明の実施の形態２に係る空気調和システムのフィルター清掃履歴データ５２をリモートコントローラー１のメモリー５０ａに記憶する動作を示すフローチャートである。
【図１０】本発明の実施の形態２に係る空気調和システムのリモートコントローラー１の表示部１０にフィルター清掃履歴データ５２を表示させる動作のフローチャートである。
【発明を実施するための形態】
【０００９】
実施の形態１．
（空気調和システムの構成図）
図１は、本発明の実施の形態１に係る空気調和システムの全体構成図であり、図２は、同空気調和システムにおける室内機１００の室内機コントローラー１０１の内部構成図であり、そして、図３は、同空気調和システムのリモートコントローラー１の内部構成図である。
【００１０】
図１で示されるように、本実施の形態に係る空気調和システムは、少なくとも、リモートコントローラー１、室内機１００及び室外機２００によって構成されている。
【００１１】
このうち、室内機１００は、１つ又は２つ以上備えられており、塵埃等を除去するフィルター（図示せず）を備え、各室内機１００は、冷媒を流通させる冷媒配管、及び、制御信号等を通信する通信線によって室外機２００と接続されている。また、各室内機１００は、互いに、伝送線３００によって接続されており、後述するフィルター清掃履歴データ等を送信又は中継する。また、室内機１００が１つのみによって構成されている場合には、その室内機１００が、又は、室内機１００が複数によって構成されている場合には、そのうち、少なくともいずれかが、通信線３０１によってリモートコントローラー１に接続されている。さらに、各室内機１００は、その内部に、室内機１００の全体を制御する室内機コントローラー１０１を備えている。
なお、室内機１００は、通信線３０１によってリモートコントローラー１に接続されている構成を示したが、これに限定されるものではなく、無線通信によって通信されるものとしてもよい。
【００１２】
リモートコントローラー１の表面には、少なくとも、メニュー画面等を表示するＬＣＤ等の表示部１０、室内機１００等に対する運転／停止操作、又は、表示部１０の表示内容の切り替え等の操作を実施するための操作部２０が備えられている。この操作部２０は、例えば、表示部１０上に表示されているカーソルを移動させるカーソル移動ボタン２１、表示部１０上に表示されている数値等を切り替える数値入力ボタン２２、メニュー画面等によってカーソルによって選択された項目を決定等するための決定ボタン２３、メニュー画面に切り替えるためのメニューボタン２４、直前に表示されていた画面等に戻すための戻るボタン２５、及び、室内機１００及び室外機２００の運転を開始又は停止を行う運転／停止ボタン２６によって構成されている。
【００１３】
図２で示されるように、室内機コントローラー１０１は、少なくとも、他の室内機１００における室内機コントローラー１０１又はリモートコントローラー１との通信動作、並びに、後述するメモリー１５０の読み出し及び書き込み等を制御するＣＰＵ１１０、このＣＰＵ１１０に接続され各種データの通信を実施する通信部１４０、及び、ＣＰＵ１１０に接続され各種データを記憶するメモリー１５０を備えている。メモリー１５０は、各種設定データ１５１、及び、過去のフィルター清掃の履歴であるフィルター清掃履歴データ１５２等が記憶されている。設定データ１５１は、室内機１００が特定の時刻に自動でフィルターの清掃を実施するため、又は、所定時間毎若しくは所定の運転積算時間毎に自動でフィルターの清掃を実施するための自動フィルター清掃設定データが含まれている。
【００１４】
図３で示されるように、リモートコントローラー１は、少なくとも、室内機コントローラー１０１との通信動作、並びに、後述するメモリー５０の読み出し及び書き込み等の動作を制御するＣＰＵ３０、前述した表示部１０及び操作部２０、ＣＰＵ３０に接続され各種データの通信を実施する通信部４０、並びに、ＣＰＵ３０に接続され各種データを記憶するメモリー５０を備えている。メモリー５０は、各種設定データ５１等が記憶されている。
【００１５】
（フィルター清掃履歴データの記憶動作）
図４は、本発明の実施の形態１に係る空気調和システムのフィルター清掃履歴データ１５２を室内機コントローラー１０１のメモリー１５０に記憶する動作を示すフローチャートである。以下、図４を参照しながら、フィルター清掃履歴データ１５２がメモリー１５０に記憶される動作について説明する。
【００１６】
（Ｓ１）
室内機コントローラー１０１のＣＰＵ１１０は、室内機１００におけるフィルターについて、使用者がリモートコントローラー１を操作することによってフィルターの清掃が実施され、あるいは、メモリー１５０に記憶された設定データ１５１（自動フィルター清掃設定データ）に基づいて自動でフィルターの清掃が実施されたか否かを判定する。その判定の結果、フィルターの清掃が実施された場合、ステップＳ２へ進む。一方、フィルターの清掃が実施されていない場合、ＣＰＵ１１０は、再び、上記の判定を実施する。
【００１７】
（Ｓ２）
ＣＰＵ１１０は、メモリー１５０にフィルター清掃履歴データ１５２を記憶させる。このフィルター清掃履歴データ１５２はメモリー１５０に最大ｎ個記憶できるものとし、ｎ個を上回る場合には、最も古いフィルター清掃履歴データ１５２に上書きして最新のフィルター清掃履歴データ１５２を記憶するものとすればよい。また、フィルター清掃履歴データ１５２は、例えば、フィルターの清掃が実施された日時、及び、フィルターの清掃動作が正常完了、異常完了又は未完了であるかの情報を含むものとすればよい。その後、ステップＳ１へ戻る。
【００１８】
（フィルター清掃履歴データの表示動作）
図５は、本発明の実施の形態１に係る空気調和システムのリモートコントローラー１の表示部１０にフィルター清掃履歴データ１５２を表示させる動作のフローチャートであり、図６は、同空気調和システムのリモートコントローラー１の表示部１０に表示される画面例である。以下、図５及び図６を参照しながら、フィルター清掃履歴データ１５２が表示部１０に表示される動作について説明する。
【００１９】
（Ｓ１１）
使用者によって、リモートコントローラー１のメニューボタン２４が操作されると、その操作情報がＣＰＵ３０に送信される。
【００２０】
（Ｓ１２）
ステップＳ１１における操作情報を受信したＣＰＵ３０は、表示部１０に図６（ａ）で示されるメニュー画面１１ａを表示させる。そのメニュー画面１１ａには、例えば、「フィルター清掃履歴情報」又は「空調機運転情報」等の選択メニューが表示される。
【００２１】
（Ｓ１３）
使用者は、メニュー画面１１ａにおいて、カーソル移動ボタン２１を操作して「フィルター清掃履歴情報」を選択し、決定ボタン２３を操作する。その操作情報はＣＰＵ３０に送信され、ＣＰＵ３０は、表示部１０に図６（ｂ）で示されるフィルター清掃履歴情報ユニット選択画面１１ｂを表示させる。
【００２２】
（Ｓ１４）
使用者は、フィルター清掃履歴情報ユニット選択画面１１ｂにおいて、数値入力ボタン２２を操作して、フィルター清掃履歴データ１５２の収集の対象となる室内機１００のユニット番号を入力し、決定ボタン２３を操作する。そして、そのユニット番号情報が、ＣＰＵ３０に送信される。
【００２３】
（Ｓ１５）
ユニット番号情報を受信したＣＰＵ３０は、通信線３０１を介して、そのユニット番号情報、及び、そのユニット番号に対応する室内機１００のフィルター清掃履歴データ１５２の送信を要求する旨の情報を含むフィルター清掃履歴要求を室内機１００の室内機コントローラー１０１へ送信し、さらに、そのフィルター清掃履歴要求を受信した室内機コントローラー１０１は、伝送線３００を介して、他の室内機１００の室内機コントローラー１０１へフィルター清掃履歴要求を転送する。
【００２４】
（Ｓ１６）
各室内機コントローラー１０１のＣＰＵ１１０は、通信部１４０を介してフィルター清掃履歴要求を受信する。
【００２５】
（Ｓ１７）
各室内機コントローラー１０１のＣＰＵ１１０は、受信したフィルター清掃履歴要求に含まれるユニット番号が、自己に割り付けられているユニット番号と一致するか否かを判定する。その判定の結果、フィルター清掃履歴要求に含まれるユニット番号が、自己に割り付けられているユニット番号と一致する室内機１００が存在する場合、ステップＳ１８へ進む。一方、一致する室内機１００が存在しない場合、ステップＳ１９へ進む。
【００２６】
（Ｓ１８）
フィルター清掃履歴要求に含まれるユニット番号が自己に割り付けられているユニット番号と一致していると判定した室内機コントローラー１０１のＣＰＵ１１０は、メモリー１５０からフィルター清掃履歴データ１５２を読み出し、伝送線３００又は通信線３０１を介して、通信部１４０にそのフィルター清掃履歴データ１５２をリモートコントローラー１へ送信させる。そして、ステップＳ２０へ進む。
【００２７】
（Ｓ１９）
すべての室内機１００の室内機コントローラー１０１は、フィルター清掃履歴データ１５２を送信せず、処理を終了する。
【００２８】
（Ｓ２０）
リモートコントローラー１のＣＰＵ３０は、通信部４０を介してフィルター清掃履歴要求に対応する室内機１００のフィルター清掃履歴データ１５２を受信する。
【００２９】
（Ｓ２１）
リモートコントローラー１のＣＰＵ３０は、受信したフィルター清掃履歴データ１５２を図６（ｃ）で示されるフィルター清掃履歴画面１１ｃとして、表示部１０に表示させ、処理を終了する。これによって、使用者は、各室内機１００について、過去にフィルターの清掃が実施された日時、及び、その清掃について正常完了、異常完了又は未完了として終了したかについて確認することができる。
なお、ＣＰＵ３０は、表示部１０にフィルター清掃履歴データ１５２を表示させるだけでなく、例えば、過去のフィルターの清掃動作が異常完了又は未完了等で終了している状態が連続で発生している場合等、所定の条件を満たす場合に、表示部１０にその旨又は対処方法等を表示させるものとしてもよい。これによって、使用者に対する省エネ訴求を図る効果がより向上し、また、使用者がそれぞれのフィルターの清掃履歴を分析することなく、対処方法を提示すること等が可能となりメンテナンス性を向上させることができる。
また、上記のステップＳ１４において、室内機１００を特定するためのユニット番号を入力しているが、これに限定されるものではなく、ユニット番号を入力せずに、ステップＳ２０及びステップＳ２１においてすべての室内機１００のフィルター清掃履歴データ１５２を受信して、表示部１０に表示させる動作としてもよい。これによって、どの室内機１００について、フィルター清掃が実施がなされていないか、あるいは、その実施が不十分であるか等の傾向を把握することができる。
【００３０】
（実施の形態１の効果）
以上の構成及び動作によって、各室内機１００において、過去のフィルター清掃の実施日時等が記憶され、リモートコントローラー１によって、所望の室内機１００のフィルター清掃履歴データ１５２を受信することができるので、過去のフィルター清掃履歴を確認することができる。
また、このように、過去のフィルター清掃履歴を確認することができることによって、省エネに対する悪化要因のひとつであるフィルター汚れに対して、使用者に対して視覚的に省エネ訴求を図ることができる。
また、過去のフィルター清掃履歴において、それぞれの清掃結果（正常完了、異常完了又は未完了）を確認することができるので、その清掃結果に基づいて、空気調和システムのメンテナンスの実施をすることができ、定期検査等の簡素化を図ることができる。
【００３１】
実施の形態２．
実施の形態１においては、フィルター清掃履歴データ１５２は、室内機コントローラー１０１のメモリー１５０に記憶される構成を示したが、本実施の形態においては、フィルター清掃履歴データは、リモートコントローラー１のメモリーに記憶される構成について説明する。また、本実施の形態に係る空気調和システムについて、実施の形態１に係る空気調和システムの構成及び動作と相違する点を中心に説明する。
【００３２】
（空気調和システムの構成図）
図７は、本発明の実施の形態２に係る空気調和システムにおける室内機１００の室内機コントローラー１０１の内部構成図であり、図８は、同空気調和システムのリモートコントローラー１の内部構成図である。本実施の形態に係る空気調和システムの全体構成図は、図１で示される実施の形態１に係る空気調和システムの全体構成図と同様である。
【００３３】
図７で示されるように、室内機コントローラー１０１は、少なくとも、他の室内機１００における室内機コントローラー１０１又はリモートコントローラー１との通信動作、並びに、後述するメモリー１５０ａの読み出し及び書き込み等を制御するＣＰＵ１１０、このＣＰＵ１１０に接続され各種データの通信を実施する通信部１４０、及び、ＣＰＵ１１０に接続され各種データを記憶するメモリー１５０ａを備えている。メモリー１５０ａは、各種設定データ１５１等が記憶されている。設定データ１５１は、室内機１００が特定の時刻に自動でフィルターの清掃を実施するため、又は、所定時間毎若しくは所定の運転積算時間毎に自動でフィルターの清掃を実施するための自動フィルター清掃設定データが含まれている。
【００３４】
図８で示されるように、リモートコントローラー１は、少なくとも、室内機コントローラー１０１との通信動作、並びに、後述するメモリー５０ａの読み出し及び書き込み等の動作を制御するＣＰＵ３０、メニュー画面等を表示するＬＣＤ等の表示部１０、室内機１００等に対する運転／停止操作、又は、表示部１０の表示内容の切り替え等の操作を実施するための操作部２０、ＣＰＵ３０に接続され各種データの通信を実施する通信部４０、並びに、ＣＰＵ３０に接続され各種データを記憶するメモリー５０ａを備えている。メモリー５０ａは、各種設定データ５１、及び、過去のフィルター清掃の履歴であるフィルター清掃履歴データ５２等が記憶されている。
【００３５】
（フィルター清掃履歴データの記憶動作）
図９は、本発明の実施の形態２に係る空気調和システムのフィルター清掃履歴データ５２をリモートコントローラー１のメモリー５０ａに記憶する動作を示すフローチャートである。以下、図９を参照しながら、フィルター清掃履歴データ５２がメモリー５０ａに記憶される動作について説明する。
【００３６】
（Ｓ３１）
室内機コントローラー１０１のＣＰＵ１１０は、室内機１００におけるフィルターについて、使用者がリモートコントローラー１を操作することによってフィルターの清掃が実施され、あるいは、メモリー１５０ａに記憶された設定データ１５１（自動フィルター清掃設定データ）に基づいて自動でフィルターの清掃が実施されたか否かを判定する。その判定の結果、フィルターの清掃が実施された場合、ステップＳ３２へ進む。一方、フィルターの清掃が実施されていない場合、ＣＰＵ１１０は、再び、上記の判定を実施する。
【００３７】
（Ｓ３２）
ＣＰＵ１１０は、伝送線３００又は通信線３０１を介して、通信部１４０に、フィルターの清掃履歴の情報及び自己のユニット番号を包含する清掃履歴・ユニット番号情報をリモートコントローラー１へ送信させる。その後、ステップＳ３１へも戻る。
【００３８】
（Ｓ３３）
リモートコントローラー１のＣＰＵ３０は、通信部４０を介して清掃履歴・ユニット番号情報を受信する。
【００３９】
（Ｓ３４）
ＣＰＵ３０は、清掃履歴・ユニット番号情報における室内機１００を一意に示すユニット番号に分類して、メモリー５０ａにフィルター清掃履歴データ５２として記憶させる。このフィルター清掃履歴データ５２はメモリー５０ａに最大ｎ個記憶できるものとし、ｎ個を上回る場合には、最も古いフィルター清掃履歴データ５２に上書きして最新のフィルター清掃履歴データ５２を記憶するものとすればよい。また、フィルター清掃履歴データ５２は、例えば、フィルターの清掃が実施された日時、及び、フィルターの清掃動作が正常完了、異常完了又は未完了であるかの情報を含むものとすればよい。その後、ステップＳ３１へ戻る。
【００４０】
（フィルター清掃履歴データの表示動作）
図１０は、本発明の実施の形態２に係る空気調和システムのリモートコントローラー１の表示部１０にフィルター清掃履歴データ５２を表示させる動作のフローチャートである。以下、図１０及び図６を参照しながら、フィルター清掃履歴データ５２が表示部１０に表示される動作について説明する。
【００４１】
（Ｓ４１）
使用者によって、リモートコントローラー１のメニューボタン２４が操作されると、その操作情報がＣＰＵ３０に送信される。
【００４２】
（Ｓ４２）
ステップＳ４１における操作情報を受信したＣＰＵ３０は、表示部１０に図６（ａ）で示されるメニュー画面１１ａを表示させる。そのメニュー画面１１ａには、例えば、「フィルター清掃履歴情報」又は「空調機運転情報」等の選択メニューが表示される。
【００４３】
（Ｓ４３）
使用者は、メニュー画面１１ａにおいて、カーソル移動ボタン２１を操作して「フィルター清掃履歴情報」を選択し、決定ボタン２３を操作する。その操作情報はＣＰＵ３０に送信され、ＣＰＵ３０は、表示部１０に図６（ｂ）で示されるフィルター清掃履歴情報ユニット選択画面１１ｂを表示させる。
【００４４】
（Ｓ４４）
使用者は、フィルター清掃履歴情報ユニット選択画面１１ｂにおいて、数値入力ボタン２２を操作して、フィルター清掃履歴データ５２の収集の対象となる室内機１００のユニット番号を入力し、決定ボタン２３を操作する。そして、そのユニット番号情報が、ＣＰＵ３０に送信される。
【００４５】
（Ｓ４５）
ＣＰＵ３０は、メモリー５０ａに、受信したユニット番号情報に対応するフィルター清掃履歴データ５２が存在するか否か判定する。その判定の結果、ユニット番号情報に対応するフィルター清掃履歴データ５２が存在する場合、ステップＳ４６へ進む。一方、対応するフィルター清掃履歴データ５２が存在しない場合、ステップＳ４７へ進む。
【００４６】
（Ｓ４６）
ＣＰＵ３０は、受信したユニット番号情報に対応するフィルター清掃履歴データ５２をメモリー５０ａから読み出す。そして、ステップＳ４８へ進む。
【００４７】
（Ｓ４７）
ＣＰＵ３０は、受信したユニット番号情報に対応するフィルター清掃履歴データ５２が存在しないものとして、処理を終了する。
【００４８】
（Ｓ４８）
ＣＰＵ３０は、メモリー５０ａから読み出したフィルター清掃履歴データ５２を図６（ｃ）で示されるフィルター清掃履歴画面１１ｃとして、表示部１０に表示させ、処理を終了する。これによって、使用者は、各室内機１００について、過去にフィルターの清掃が実施された日時、及び、その清掃について正常完了、異常完了又は未完了として終了したかについて確認することができる。
なお、ＣＰＵ３０は、表示部１０にフィルター清掃履歴データ５２を表示させるだけでなく、例えば、過去のフィルターの清掃動作が異常完了又は未完了等で終了している状態が連続で発生している場合等、所定の条件を満たす場合に、表示部１０にその旨又は対処方法等を表示させるものとしてもよい。これによって、使用者に対する省エネ訴求を図る効果がより向上し、また、使用者がそれぞれのフィルターの清掃履歴を分析することなく、対処方法を提示すること等が可能となりメンテナンス性を向上させることができる。
また、上記のステップＳ４４において、室内機１００を特定するためのユニット番号を入力しているが、これに限定されるものではなく、ユニット番号を入力せずに、ステップＳ４６及びステップＳ４８においてすべての室内機１００のフィルター清掃履歴データ５２をメモリー５０ａから読み出して、表示部１０に表示させる動作としてもよい。これによって、どの室内機１００について、フィルター清掃が実施がなされていないか、あるいは、その実施が不十分であるか等の傾向を把握することができる。
【００４９】
（実施の形態２の効果）
以上の構成及び動作によって、リモートコントローラー１において、各室内機１００における過去のフィルター清掃の実施日時等が記憶され、リモートコントローラー１によって、所望の室内機１００の過去のフィルター清掃履歴を確認することができる。
また、このように、過去のフィルター清掃履歴を確認することができることによって、省エネに対する悪化要因のひとつであるフィルター汚れに対して、使用者に対して視覚的に省エネ訴求を図ることができる。
また、過去のフィルター清掃履歴において、それぞれの清掃結果（正常完了、異常完了又は未完了）を確認することができるので、その清掃結果に基づいて、空気調和システムのメンテナンスの実施をすることができ、定期検査等の簡素化を図ることができる。
さらに、各室内機１００の過去のフィルターの清掃履歴であるフィルター清掃履歴データ５２がリモートコントローラー１に記憶されているので、例えば、リモートコントローラー１が無線通信によって室内機１００と通信する場合、リモートコントローラー１が室内機１００との通信可能領域になくてもフィルターの清掃履歴を確認することができる。また、リモートコントローラー１において、室内機１００及び室外機２００の動作状態（例えば、メンテナンスのために伝送線３００又は通信線３０１が除去されていたり、室内機１００の電源がＯＦＦ状態である等）に左右されずに、各室内機１００の過去のフィルターの清掃履歴を確認することができるので、メンテナンス性を向上することができる。
【符号の説明】
【００５０】
１  リモートコントローラー、１０  表示部、１１ａ  メニュー画面、１１ｂ  フィルター清掃履歴情報ユニット選択画面、１１ｃ  フィルター清掃履歴画面、２０  操作部、２１  カーソル移動ボタン、２２  数値入力ボタン、２３  決定ボタン、２４  メニューボタン、２５  戻るボタン、２６  運転／停止ボタン、３０  ＣＰＵ、４０  通信部、５０、５０ａ  メモリー、５１  設定データ、５２  フィルター清掃履歴データ、１００  室内機、１０１  室内機コントローラー、１１０  ＣＰＵ、１４０  通信部、１５０、１５０ａ  メモリー、１５１  設定データ、１５２  フィルター清掃履歴データ、２００  室外機、３００  伝送線、３０１  通信線。
【図１】
2011247451.tif 000003
【図２】
2011247451.tif 000004
【図３】
2011247451.tif 000005
【図４】
2011247451.tif 000006
【図５】
2011247451.tif 000007
【図６】
2011247451.tif 000008
【図７】
2011247451.tif 000009
【図８】
2011247451.tif 000010
【図９】
2011247451.tif 000011
【図１０】
2011247451.tif 000012